(57)【特許請求の範囲】
【請求項１】
建築壁の壁表に開口を臨ませるべく、壁裏に設置される配線ボックスであって、
該配線ボックスの互いに相対向する周壁の一部分に設けられて該配線ボックスの概略位置を建築壁の壁表から探知可能な一対の被探知部材で構成されてなる第一被探知部と、
前記配線ボックスの開口を建築壁の壁表に臨ませるべく建築壁に対して穿孔される透孔の穿孔中心位置で且つ前記一対の第一被探知部材間に設けられて建築壁の壁表から探知可能な第二被探知部とを具備することを特徴とする配線ボックス。
【発明の詳細な説明】
【０００１】
【発明の属する技術分野】
従来、壁裏に配置された配線ボックスの前面の略全体を壁表に臨ませるためには、配線ボックス内に設けられた金属（被探知部）を壁表から金属探知機で探知して、又は配線ボックス内に設けられた磁石（被探知部）を壁表から磁気探知機で探知して壁裏に配置された配線ボックスの外形を抽出し、ついで、この外形に沿ってノコギリやカッターを使用して壁材を切断することにより該配線ボックスの前面の略全体を壁表に臨ませるか、あるいは、配線ボックス内に壁表から探知可能に設けられた被探知部の探知位置を穿孔中心として壁材に対して透孔を穿設することにより該配線ボックスの前面の略全体を壁表に臨ませていた。
【０００２】
【発明が解決しようとする課題】
しかしながら、壁裏に配置された配線ボックスの前面の略全体を壁表に臨ませる従来の方法によれば、配線ボックスの配置位置を壁表から探知し、壁材に配線ボックスの外形を罫書くという作業が必要となるため、これらの作業がまことに面倒でその作業性が悪いことに加えて、壁材に罫書かれた罫書き線に沿ってノコギリで壁材を角形に切断することは極めて難しい作業であった。また、時には、配線ボックスの位置ズレが生じ易いという不具合があった。
【０００３】
この発明は上述した事情に鑑みなされたものであってその解決すべき課題は、従来の配線ボックスの具有する上述した課題を解消することであり、その目的とするところは、壁裏に配置された配線ボックスの開口面を壁表に臨ませる作業の作業性に優れた配線ボックスを提供することである。
【０００４】
【課題を解決するための手段】
請求項１に記載の発明は、建築壁の壁表に開口を臨ませるべく、壁裏に設置される配線ボックスであって、該配線ボックスの互いに相対向する周壁の一部分に設けられて該配線ボックスの概略位置を建築壁の壁表から探知可能な一対の被探知部材で構成されてなる第一被探知部と、
前記配線ボックスの開口を建築壁の壁表に臨ませるべく建築壁に対して穿孔される透孔の穿孔中心位置で且つ前記一対の第一被探知部材間に設けられて建築壁の壁表から探知可能な第二被探知部とを具備することを特徴とするものである。
【０００５】
請求項１に記載の発明によれば、第一被探知部によって配線ボックスの概略位置を知ることができる。又、第二被探知部によって、穿孔中心位置を知ることができる。
【０００６】
又、請求項１に記載の発明によれば、第一被探知部によって配線ボックスの外縁を知ることができる。
【０００７】
又、請求項１に記載の発明によれば、第一被探知部によって配線ボックスの外縁を知ることができ、その後、該第一被探知部を構成する二つの第一被探知部材間を精査することにより、第二被探知部を探知して、穿孔中心を知ることができる。
【０００８】
【発明の実施の形態】
以下、本発明を図面に基づいて詳細に説明する。
図１は、本発明の第一実施例の配線ボックス１０ａを示す一部破断斜視図であり、図２はその平面図である。
【０００９】
図において、第一実施例の配線ボックス１０ａは、配線ボックス１０ａの偏心位置に、該配線ボックス１０ａの底壁から開口に向けて臨ませた第二被探知部３が一体に形成され、周壁の相対向する位置に、配線器具等を収容する図示しない配線器具取付枠を取り付けするための１対のボス体１ａ、１ａが近接して突設されている。
【００１０】
そして、このボス体の上面を覆うように金属箔４ａ（アルミニウム箔）が備えられて第一被探知部２を構成している。また、前記被探知部３は、配線ボックス１０ａの底壁に折り取り可能に突設された筒状体３ａと、該筒状体３ａの天端に備えた磁石４ｂとからなるものであり、第二被探知部３を構成している。
【００１１】
つぎに、第一実施例の配線ボックス１０ａの開口を壁表に臨ませるため、壁裏に配置された配線ボックス１０ａの前面に設置された壁材Ｗに対して透孔５を穿設する手順について説明する。
【００１２】
図３は金属探知機（Ａ）６ａを使用して第一探知部２を探知している様子を模式的に示す要部縦断面図であり、図４は配線ボックス１０ａの開口を壁表に臨ませるために壁材Ｗに対して穿設される透孔５の穿孔中心位置を位置を決定するため、第二被探知部３を磁石探知機６ｂを使用して探知している様子を模式的に示す要部縦断面図であり、図５は第二被探知部３の位置を穿孔中心位置とする透孔５を穿孔具７を使用して壁材Ｗに対して穿孔している様子を模式的に示す要部縦断面図である。
【００１３】
図３において、壁裏に配置された配線ボックス１０ａの第一被探知部２が金属探知機（Ａ）６ａの使用によって迅速に探知され、配線ボックス１０ａの設置位置が概略探知される。ついで、図４に示すように、配線ボックス１０ａの第二被探知部３が磁石探知機６ｂを使用して探知され、配線ボックス１０ａの前面開口を壁表に臨ませるべく壁材Ｗに対して穿設される透孔５の穿孔中心が決定される。そして、図５に示すように、磁石探知機６ｂを使用して探知された第二被探知部３の位置を穿孔中心位置とする最初の透孔５が穿孔具７を使用して穿設され、ついで、最初の透孔５から決定される図示しない第２透孔が前記最初の透孔５と部分的に重複するように穿設され、これにより、最初の透孔５及び第２透孔を介して配線ボックスの開口を壁表に臨ませることができる。
【００１４】
ところで、前記被探知部とは、壁表から探知可能な被探知部材が備えられているものであれば何でもよく、かかる被探知部材としては、上述した金属箔４ａ、金属リング、磁石４ｂなどを例示できる。すなわち、前記第一被探知部２は、壁表から自身の存在位置を探知可能とする機能を有するものを指称しており、前記第二被探知部３は、壁表から自身の存在位置を探知可能とする機能と、透孔５の穿孔中心位置を決定する位置決めとしての機能とを兼ね備えているものを指称している。
【００１５】
すなわち、上述した第一実施例の配線ボックス１０ａは、前記第一被探知部２に備えられた被探知部材の素材と、前記第二被探知部３に備えられた被探知部材の素材とが互いに相違している点にその構成的特徴を有するものである。それゆえ、第一被探知部２を壁表から探知する探知手段（装置）である金属探知機（Ａ）６ａと、第二被探知部３を壁表から探知する探知手段（装置）である磁石探知機６ｂとが互いに相違することは明らかである。
【００１６】
したがって、本趣旨から逸脱しない範囲で適宜設計変更して実施でき、図６に示すように、前記筒状体の天端に金属箔を接着して第二被探知部を構成させるとともに、ボス体に磁石を備えて第一被探知部を構成させたもの等を例示できる。
【００１７】
なお、筒状体３ａの下端の相対向する外面に図示しない舌状の取付部が形成され、そのまま折り取りできるように形成されていると、折り取り回収された被探知部は、当該配線ボックス１０ａとは異なる他の配線ボックス１０’ａに形成された被取付部に前記取付部を介して取着でき、所謂「被探知具」として繰り返し使用できるから好ましい。
【００１８】
次に、本発明の第二実施例の配線ボックス１０ｃを説明する。
図７は、第二実施例の配線ボックス１０ｃを示す一部破断斜視図であり、図８はその平面図である。
【００１９】
図において、第二実施例の配線ボックス１０ｃは、配線ボックス１０ｃの偏心位置に、該配線ボックス１０ｃの底壁から開口に向けて臨み被探知部材としての金属箔（アルミニウム箔）４ａを有する第二被探知部３が一体に形成され、周壁の相対向する位置に、配線器具等を収容する図示しない配線器具取付枠を取り付けするための１対のボス体１ａ、１ａが近接して突設され、そして、このボス体１ａ、１ａの上面を覆うように金属箔（アルミニウム箔）４ａがそれぞれ備えられ、第一被探知部２を構成しているものである。
すなわち、この配線ボックス１０ｃは、第一被探知部２と第二被探知部３に備えられた被探知部材が同じ素材である点で、前記第一実施例の配線ボックス１０ａ、１０ｂとは相違するものである。
【００２０】
つぎに、第二実施例の配線ボックス１０ｃの開口を壁表に臨ませるため、壁裏に配置された配線ボックス１０ｃの前面に設置された壁材Ｗに対して透孔５を穿設する手順について説明する。
図９は金属探知機（Ｂ）６’ａを使用して第一被探知部２を探知している様子を模式的に示す要部縦断面図である。
【００２１】
図９に示すように、まず、壁裏に配置された配線ボックス１０ｃに所定の間隔離間して備えられた金属箔４ａからなる第一被探知部２が、二点探知型の金属探知機（Ｂ）６’ａによって同時に探知され、配線ボックス１０ｃの設置位置が迅速に概略探知される。ついで、配線ボックス１０ｃの第二被探知部３が、前記金属探知機（Ｂ）とは異なる一点探知型の金属探知機（Ａ）６ａによって図４に示すように探知され、配線ボックス１０ｃの前面開口を壁表に臨ませるべく壁材に対して穿設される透孔５の穿孔中心が決定される。そして、第二被探知部３の位置を穿孔中心位置とする透孔５が、穿孔具７を使用して穿設される（図５）。
【００２２】
ところで、第二実施例の配線ボックス１０ｃに設けられた第一被探知部２は、壁表から探知可能で、所定の間隔離間して備えられた一組の被探知部材からなるものであれば何でもよい。
【００２３】
すなわち、第二実施例の配線ボックス１０ｃは、第一被探知部２を探知する探知手段（装置）と、第二被探知部３を探知する探知手段（装置）とは同一原理に基づいて被探知部を探知するものであるものの、第一被探知部２に備えられた被探知部材の素材と、前記第二被探知部３に備えられた被探知部材の素材とが同一である点と、前記第一被探知部２に備えられた被探知部材が所定の間隔離間して備えられている点にその構成的特徴を有するものである。したがって、上記の如く、第一被探知部２を探知する探知手段（装置）は、所定の間隔離間して備えられた被探知部材の両方を同時的に探知する二点探知型の金属探知機（Ｂ）６’ａによって同時に探知されものであり、第二被探知部３を探知する一点探知型の金属探知機（Ａ）６ａとは相違する。
【００２４】
なお、第二実施例の配線ボックス１０ｃにあっては、第一被探知部２を構成する被探知部材が面状の金属箔であり、第二被探知部３を構成する被探知部材がスポット状の金属箔であるため、一点探知型の金属探知機（Ａ）６ａの使用で、両者を区別することもできる。したがって、第一被探知部２は、被探知部材が必ずしも所定の間隔離間して備えられたものでなくてもよく、例えば面状の被探知部材が備えられていればよい。
【００２５】
本趣旨から逸脱しない範囲で第二実施例の配線ボックスを、適宜設計変更して実施できる。
【００２６】
次に、本発明の第三実施例の配線ボックス１０ｄを説明する。
図１０は、第三実施例の配線ボックス１０ｄを示す要部平面図であり、この配線ボックス１０ｄは、図に示すように、前記筒状体３ａの天端に磁石４’ｂを固定して第二被探知部３を構成させるとともに、ボス体１ａ、１ａの両方に磁石４ｂが備えられて第一被探知部２を構成させたものであるが、第一被探知部２を構成する磁石４ｂに、第二被探知部３を構成する磁石４’ｂよりも強力な磁力を出すものが装着されている点にその構成的特徴がある。
【００２７】
すなわち、第三実施例の配線ボックス１０ｄは、第一被探知部２を探知する探知手段（装置）と第二被探知部３を探知する探知手段（装置）とは互いに同一原理に基づいて被探知部が探知されるものの、前記第一被探知部２に備えられた被探知部材４ｂの被探知強度（磁力）と、第二被探知部３に備えられた被探知部材４’ｂの被探知強度（磁力）に明確な相違があるから、磁力の強い第一被探知部２を探知することによりその概略配置位置が探知され、ついで、探知機の探知能力を高め、磁力の弱い第二被探知部を探知し、この第二被探知部の探知位置を穿孔中心とする透孔が壁材に対して穿設されるようになっているものである。
【００２８】
ところで、本発明は叙上の各実施例に限定されるものではなく、本発明の趣旨から逸脱しない範囲で、配線ボックスの全体の外観形状や、被探知部の配置位置、被探知部の形状等適宜設計変更して実施できる。
【００２９】
例えば、図１１に要部平面図で示すように、ボス体１ａに第一被探知部２を形成すると共に、配線ボックス１０ｅの中央に第二被探知部３を形成し、該第二被探知部３を穿孔中心位置とする１つの透孔５を壁材Ｗに対して穿孔することによって、配線ボックスｅの開口を壁表に臨ませるものであってもよく、図１２に要部平面図で示すように、ボス体１ａ、１ａのそれぞれを覆うように金属箔４ａ（第一被探知部２）を設けると共に、配線ボックス１０ｆの中央に２つの第二被探知部３、３を設け、該第二被探知部３、３のそれぞれを穿孔中心位置とする２つの透孔５、５を壁材Ｗに対して穿孔することによって、配線ボックス１０ｆの開口を壁表に臨ませるものであってもよく、図１３に要部平面図で示すように、ボス体１ａ、１ａのそれぞれに第一被探知部２、２を設けると共に、配線ボックス１０ｇの偏心位置に第二被探知部３を設け、該第二被探知部３を穿孔中心位置とする透孔５を壁材Ｗに対して穿孔した後、さらに目視して決定される穿孔中心位置の異なる３つの透孔５’を壁材Ｗに穿設し、計４つの透孔５を介して配線ボックス１０ｇの開口の全面を壁表に臨ませるものであってもよい。
【００３０】
また、上述した各実施例の配線ボックスは、配線器具取付枠を取り付けるためのものであるが、配線器具取付枠と配線器具との取付方法、配線器具取付枠に取り付ける配線器具の数量等を特に限定するものでもなく、さらに、配線器具取付枠は、コンセント、スイッチの配線器具の他、調光器、アース等の配線器具の取り付けにも適用できることはいうまでもないことである。
【００３１】
【発明の効果】
以上説明したように、請求項１乃至請求項３に記載の配線ボックスによれば、配線ボックスの概略位置を建築壁の壁表に提供できる第一被探知部と、前記配線ボックスの開口を建築壁の壁表に臨ませるべく建築壁に対して穿孔される透孔の穿孔中心位置を提供できる第二被探知部とを具備しているから、建築壁の壁表に開口を臨ませるべく壁裏に設置されても、第一被探知部を壁表から探知することによって壁裏に設置された配線ボックスの概略位置を簡便かつ迅速に探知でき
、ついで、第二被探知部の探知位置を探知することによって、建築壁に対して穿孔される透孔の穿孔中心位置を迅速かつ確実に提供できる。
【００３２】
すなわち、壁裏に設置された配線ボックスの探知作業、透孔の穿孔中心位置を決定する作業、及びこの位置を穿孔中心位置とする透孔を穿孔して建築壁の壁表に開口を臨ませる作業からなる一連の作業を迅速かつ確実に行うことができ、かかる作業の作業能率が向上するという格別顕著な作用効果を奏する。
【図面の簡単な説明】
【図１】図１は、本発明の第一実施例の配線ボックスを示す一部破断斜視図である。
【図２】図２は、図１に示した配線ボックスの平面図である。
【図３】図３は、図１に示した配線ボックスの第一被探知部を金属探知機を使用して探知している様子を模式的に示す要部縦断面図である。
【図４】図４は、図１に示した配線ボックスの第二被探知部を磁石探知機を使用して探知している様子を模式的に示す要部縦断面図である。
【図５】図５は、第二被探知部の探知位置を穿孔中心位置とする透孔を穿孔具を使用して壁材に対して穿孔している様子を模式的に示す要部縦断面図である。
【図６】図６は、本発明の第一実施例に相当する他の配線ボックスを示す一部破断斜視図である。
【図７】図７は、本発明の第二実施例の配線ボックスを示す一部破断斜視図である。
【図８】図８は、図７の配線ボックスの平面図である。
【図９】図９は、図７の配線ボックスの第一被探知部を金属探知機を使用して探知している様子を模式的に示す要部縦断面図である。
【図１０】図１０は、本発明の第三実施例の配線ボックスを示す要部平面図である。
【図１１】図１１は、本発明の他の配線ボックスを示すに要部平面図である。
【図１２】図１２は、本発明のまた他の配線ボックスを示すに要部平面図である。
【図１３】図１３は、本発明のまた他の配線ボックスを示すに要部平面図である。
【符号の説明】
１ａ…ビス
１ｂ…ビス
２…第一被探知部
３…第二被探知部
４ａ…金属箔
４ｂ…磁石
４’ｂ…磁石
５…透孔
５’…透孔
６ａ…金属探知機（Ａ）
６’ａ…金属探知機（Ｂ）
６ｂ…磁石探知機
７…穿孔具
１０ａ…配線ボックス
１０ｂ…配線ボックス
１０ｃ…配線ボックス
１０ｄ…配線ボックス
１０ｅ…配線ボックス
１０ｆ…配線ボックス
１０ｇ…配線ボックス
【図１】
0003799492.tif 000002
【図２】
0003799492.tif 000003
【図３】
0003799492.tif 000004
【図４】
0003799492.tif 000005
【図５】
0003799492.tif 000006
【図６】
0003799492.tif 000007
【図７】
0003799492.tif 000008
【図８】
0003799492.tif 000009
【図９】
0003799492.tif 000010
【図１０】
0003799492.tif 000011
【図１１】
0003799492.tif 000012
【図１２】
0003799492.tif 000013
【図１３】
0003799492.tif 000014